(57)【要約】【課題】オーバーキャップの過度な大型化、特に携帯時に周囲への引っ掛かりを助長するような幅の増大を避けつつ、オーバーキャップに音鳴り機構を付与する。【解決手段】容器１０は、上部に内容物を吐出するためのディスペンサー１２を有する容器体１４と、ディスペンサー１２に被せ押下力を付与することで容器体１４に着脱自在に装着されるオーバーキャップ１６とを備え、オーバーキャップ１６は、外キャップ２２と、外キャップ２２内にキャップ軸線に沿って相対変位可能に配置された内キャップ２４と、内キャップ２４の頂壁２４ａと外キャップ２２との間に配置され、オーバーキャップ１６を容器体１４に対して押下した際の外キャップ２２および内キャップ２４の近接変位に伴い頂壁２４ａによって押されるスイッチ３４と、内キャップ２４の頂壁２４ａと外キャップ２２との間に配置され、スイッチ３４からの入力に基づいて音を発生する音発生手段とを備える。【選択図】図１
2019177887.tif 000002
【特許請求の範囲】
【請求項１】
上部に内容物を吐出するためのディスペンサーを有する容器体と、前記ディスペンサーに被せ押下力を付与することで前記容器体に着脱自在に装着されるオーバーキャップとを備える容器であって、
前記オーバーキャップは、
周壁を有する外キャップと、
周壁および該周壁の上部に形成された頂壁を有し、前記外キャップ内にキャップ軸線に沿って相対変位可能に配置された内キャップと、
前記内キャップの前記頂壁と前記外キャップとの間に配置され、前記オーバーキャップを前記容器体に対して押下した際の前記外キャップおよび前記内キャップの近接変位に伴い前記頂壁によって押されるスイッチと、
前記内キャップの前記頂壁と前記外キャップとの間に配置され、前記スイッチからの入力に基づいて音を発生する音発生手段とを備えることを特徴とする容器。
【請求項２】
前記外キャップは、前記内キャップの前記頂壁の上方で前記外キャップの内側に固定された中間壁を有し、
前記中間壁の、前記頂壁側の面に前記スイッチが、該中間壁の反対側の面に前記音発生手段がそれぞれ配置されている、請求項１に記載の容器。
【請求項３】
前記ディスペンサーの基端部に、前記オーバーキャップを装着した際に前記内キャップの下端のみに当接して前記押下力によって前記外キャップを前記内キャップに対して近接変位させる張出し部を有する、請求項１または２に記載の容器。
【請求項４】
前記外キャップは、別体として形成され前記音発生手段を覆うように配置された天蓋を有する、請求項１から３までのいずれか一項に記載の容器。
【請求項５】
前記スイッチは、前記オーバーキャップの前記押下力が解除された際に前記外キャップを前記内キャップに対して押し上げる付勢手段を有する自動復帰型スイッチである、請求項１から４までのいずれか一項に記載の容器。
【請求項６】
前記音発生手段は、前記スイッチからの入力があった後、所定時間経過後にまたは所定時間経過する間継続して音を発生させるためのタイマを有する、請求項１から５までのいずれか一項に記載の容器。
【発明の詳細な説明】
【技術分野】
【０００１】
本発明は、上部に内容物を吐出するためのディスペンサーを有する容器体と、ディスペンサーに被せ押下力を付与することで容器体に着脱自在に装着されるオーバーキャップとを備える容器の改良に関する。
【背景技術】
【０００２】
このようにオーバーキャップに押下力を付与して閉蓋する容器では、オーバーキャップを最終位置までしっかり閉めたかが外見から把握しにくく、オーバーキャップがしっかり閉められていない場合には携帯時などにディスペンサーが押されて内容物が流出する懸念がある。このようなオーバーキャップの閉め損ないを防止するためには、オーバーキャップが最終位置まで適正に閉められたときに音を発生する音鳴り機構を付与することが有効と考える。
【０００３】
容器に音鳴り機構を付与する考えは特許文献１に開示されており、この特許文献１には、手で押されると消毒薬容器の中の消毒液を吐出する手指消毒用ポンプ付き容器であって、手指接触消毒に必要な時間を知らせるため、ディスペンサーポンプに、ディスペンサーポンプが押されたことを検出する光センサと、光センサによってディスペンサーポンプが押されたことを検知したときから音や光を継続して発し消毒に必要な時間以上経過すると音や光の発生を停止する報知手段とを設けたものが記載されている。
【先行技術文献】
【特許文献】
【０００４】
【特許文献１】実開平７−３０８７８号公報
【発明の概要】
【発明が解決しようとする課題】
【０００５】
特許文献１に記載の考案では、光センサおよび報知手段からなる音鳴り機構を設置スペースの確保が比較的容易な容器本体側に設けている。しかし、オーバーキャップの閉め損ないを防止するためには音鳴り機構をオーバーキャップ側に設ける必要があるが、オーバーキャップは大きさが限られているため、特許文献１に記載されたような音鳴り機構をそのまま適用することができない。
【０００６】
それ故本発明の目的は、オーバーキャップの過度な大型化、特に携帯時に周囲への引っ掛かりを助長するような幅の増大を避けつつ、オーバーキャップに音鳴り機構を付与することにある。
【課題を解決するための手段】
【０００７】
本発明は、上部に内容物を吐出するためのディスペンサーを有する容器体と、前記ディスペンサーに被せ押下力を付与することで前記容器体に着脱自在に装着されるオーバーキャップとを備える容器であって、上記課題を解決するため、前記オーバーキャップは、周壁を有する外キャップと、周壁および該周壁の上部に形成された頂壁を有し、前記外キャップ内にキャップ軸線に沿って相対変位可能に配置された内キャップと、前記内キャップの前記頂壁と前記外キャップとの間に配置され、前記オーバーキャップを前記容器体に対して押下した際の前記外キャップおよび前記内キャップの近接変位に伴い前記頂壁によって押されるスイッチと、前記内キャップの前記頂壁と前記外キャップとの間に配置され、前記スイッチからの入力に基づいて音を発生する音発生手段とを備える。
【０００８】
なお、本発明の容器にあっては、前記外キャップは、前記内キャップの前記頂壁の上方で前記外キャップの内側に固定された中間壁を有し、前記中間壁の、前記頂壁側の面に前記スイッチが、該中間壁の反対側の面に前記音発生手段がそれぞれ配置されていることが好ましい。
【０００９】
また、本発明の容器にあっては、前記ディスペンサーの基端部に、前記オーバーキャップを装着した際に前記内キャップの下端のみに当接して前記押下力によって前記外キャップを前記内キャップに対して近接変位させる張出し部を有することが好ましい。
【００１０】
さらに、本発明の容器にあっては、前記外キャップは、別体として形成され前記音発生手段を覆うように配置された天蓋を有することが好ましい。
【００１１】
さらに、本発明の容器にあっては、前記スイッチは、前記オーバーキャップの前記押下力が解除された際に前記外キャップを前記内キャップに対して押し上げる付勢手段を有する自動復帰型スイッチであることが好ましい。
【００１２】
さらに、本発明の容器にあっては、前記音発生手段は、前記スイッチからの入力があった後、所定時間経過後にまたは所定時間経過する間継続して音を発生させるためのタイマを有することが好ましい。
【発明の効果】
【００１３】
本発明によれば、オーバーキャップが最終位置まで適正に閉められた際に音を発生する音発生手段を内キャップの頂壁と外キャップとの間に配置したので、オーバーキャップの過度な大型化、特に携帯時に周囲への引っ掛かりを助長するような幅の増大を避けつつ、オーバーキャップに音鳴り機構を付与することができる。また、オーバーキャップを閉めた際に音が鳴るようにしたことで、使用者に次使いたくなるような楽しさを付与することもできる。
【図面の簡単な説明】
【００１４】
【図１】本発明に従う一実施形態の容器の、オーバーキャップを断面で示した側面図である。
【図２】図１の容器において、オーバーキャップ装着前の状態を示した図である。
【図３】（ａ）は、図１の容器においてオーバーキャップをディスペンサーに被せた状態を示した図であり、（ｂ）は、図３（ａ）の状態からオーバーキャップに押下力を付与してオーバーキャップを最終位置まで閉めたときの様子を示す図であり、（ｃ）は、図３（ｂ）の状態からオーバーキャップに付与した押下力を解除したときの様子を示す図である。
【発明を実施するための形態】
【００１５】
以下、本発明の実施の形態を図面に基づき詳細に説明する。ここで、図１は本発明に従う一実施形態の容器の、オーバーキャップを断面で示した側面図であり、図２は、図１の容器において、オーバーキャップ装着前の状態を示した図である。
【００１６】
図１に示すように、本実施形態の容器１０は、液状、ジェル状もしくはクリーム状の内容物を収容し上部に内容物を吐出するためのディスペンサー１２を有する容器体１４と、ディスペンサー１２に被せ押下力を付与することで容器体１４に着脱自在に装着されるオーバーキャップ１６とを備える。
【００１７】
容器体１４は合成樹脂等により形成され、胴部１４ａより肩部１４ｂを介して口部を起立したボトル形状を有する。口部にはディスペンサー１２が固定される。
【００１８】
ディスペンサー１２は、押下ヘッド１２ａの押下操作に伴って容器体１４内の内容物を吐出できるものであれば特に制限はなく、手動ポンプ式ディスペンサーやエアゾール式ディスペンサー等、所要に応じて種々変更することができる。
【００１９】
押下ヘッド１２ａの周囲には略筒状のカバー１２ｂが設けられており、カバー１２ｂの基端部には径方向外側に突出した張出し部１８が形成されている。図示例において張出し部１８はフランジ状に形成されているが、カバー１２ｂ周方向に連続して延びる環状リブやカバー１２ｂ周方向に間欠的に設けられた間欠リブでもよい。また、カバー１２ｂの側面には、張出し部１８の上方に隣接して突起２０が形成されている。突起２０は図示例ではカバー１２ｂの側面の対向２箇所に設けられているが、少なくとも１つあればよい。
【００２０】
図１および図２に示すように、オーバーキャップ１６は、周壁２２ａを有する外キャップ２２と、上部が頂壁２４ａで閉塞された周壁２４ｂを有し、外キャップ２２内にキャップ軸線に沿って相対変位可能に配置された内キャップ２４とを有する。外キャップ２２の周壁２２ａおよび内キャップ２４の周壁２４ｂは断面形状が円形であるが、これに限定されず角形形状や星型形状等、他の形状でもよく、また、外キャップ２２の周壁２２ａと内キャップ２４の周壁２４ｂの断面形状は、外キャップ２２と内キャップ２４とがキャップ軸線に沿って相対変位できる限り互いに異なっていてもよい。
【００２１】
外キャップ２２内での内キャップ２４の相対変位を可能にするため、内キャップ２４は周壁２４ｂの外径が外キャップ２２の周壁２２ａの内径よりも僅かに小さく形成されているが、内キャップ２４が外キャップ２２から脱落するのを防止するため、外キャップ２２の周壁２２ａの内面には例えば環状の凸部２６が形成され、内キャップ２４の周壁２４ｂの外面には該凸部２６に上下方向（キャップ軸線方向）への遊びをもって係合する環状の凹部２８が形成されている。環状の凸部２６に代えて周壁２２ａ内面の周方向に間欠的に形成された複数の凸部を形成してもよい。
【００２２】
また、内キャップ２４の周壁２４ｂの内周面には、オーバーキャップ１６の装着時にディスペンサー１２のカバー１２ｂに形成された突起２０と係合する係合溝３０が形成されている。
【００２３】
外キャップ２２内の、内キャップ２４の頂壁２４ａの上方位置には中間壁としての基板３２が設けられている。基板３２は、外キャップ２２の周壁２２ａ内面から内側へ延びる突出部２２ｂの下面に接着剤等により固定されている。なお、外キャップ２２の周壁２２ａ内面に係止部を設け、その係止部に基板３２を嵌合させることで基板３２を外キャップ２２内に固定してもよい（図示省略）。
【００２４】
基板３２の下面には、オーバーキャップ１６をディスペンサー１２に被せて押下した際の外キャップ２２および内キャップ２４の近接変位に伴い頂壁２４ａによって押されるスイッチ３４が実装されている。基板３２の反対側の面である上面には、スピーカ３６、ＩＣチップ等の制御回路３８およびボタン型の電池４０が実装されている。
【００２５】
制御回路３８は、スイッチ３４からの入力信号に基づき内部メモリに記憶された音や音楽等のデジタル信号をアナログ信号に変換、増幅してスピーカ３６に出力し、電池４０は制御回路３８に電源を供給する。制御回路３８は、スイッチ３４からの入力に基づき任意のタイミングおよび期間に亘ってスピーカ３６から音を発生するよう構成されてよい。例えば、制御回路３８に、スイッチ３４からの入力があった後、所定時間経過後にまたは所定時間経過する間継続して音を発生させるためのタイマを設けてもよい。
【００２６】
スイッチ３４は、オーバーキャップ１６の押下力が解除された際に外キャップ２２を内キャップ２４に対して押し上げるバネ等の付勢手段を有する自動復帰型スイッチである。
【００２７】
これらのスピーカ３６、制御回路３８および電池４０は、スイッチ３４からの入力信号に基づいて音を発生する音発生手段を構成する。基板３２下面側のスイッチ３４と基板３２上面側の制御回路３８とは、基板３２に形成された切欠き３２ａもしくは開口に通されたワイヤ４２によって電気的に接続されているが、ワイヤ４２に代えて基板３２を厚み方向に貫通するビアによってスイッチ３４と制御回路３８とを電気的に接続してもよい。
【００２８】
また、外キャップ２２には周壁２２ａとは別体として形成され音発生手段を覆うように配置された天蓋４４を有する。天蓋４４は、天板４４ａから垂下して外キャップ２２の周壁２２ａの上端開口内に着脱可能に嵌入される嵌入部４４ｂを有する。天蓋４４の端部には切欠部４４ｃや開口部を設けてもよい。このような切欠部４４ｃや開口部を設けることで、例えば電池交換に際して、突起物や指の爪等を切欠部４４ｃや開口部に引っ掛けて天蓋４４を容易に開放することができる。また、天蓋４４の下方に配置されたスピーカ３６からの音を外部に伝え易くすることができる。切欠部４４ｃや開口部の形状に特に限定はない。またスピーカ３６の音を外部に伝え易くするため、外キャップ２２の周壁２２ａ上部に孔（図示せず）を形成してもよい。なお、天蓋４４は周壁２２ａと一体に形成してもよい。
【００２９】
次いで、上記構成を備える容器１０の使用態様について説明する。まず、図２に示した状態から図３（ａ）に示すようにオーバーキャップ１６をディスペンサー１２に被せる。この状態では、外キャップ２２と内キャップ２４はキャップ軸線方向に相対変位せずスイッチ３４は押されない。
【００３０】
図３（ａ）の状態から図３（ｂ）に示すようにオーバーキャップ１６を押下すると、オーバーキャップ１６が最終位置まで閉められ、これと同時に内キャップ２４の下端がカバー１２ｂの張出し部１８に当接して外キャップ２２が内キャップ２４に対して近接変位する。これによりスイッチ３４が内キャップ２４の頂壁２４ａによって押され、スイッチ３４からの入力に基づきスピーカ３６から音が発せられる。これにより使用者はオーバーキャップ１６が最終位置まで適正に閉められたことを知ることができる。
【００３１】
図３（ｂ）の状態から図３（ｃ）に示すようにオーバーキャップ１６に付与した押下力を解除すると、付勢手段を有するスイッチ３４がその付勢力で外キャップ２２を内キャップ２４に対して押し上げるため、スイッチ３４が切れるとともに外キャップ２２が内キャップ２４から離間した元の位置に復帰する。
【００３２】
したがって、本実施形態の容器１０によれば、オーバーキャップ１６が最終位置まで適正に閉められた際に音を発生する音発生手段を内キャップ２４の頂壁２４ａと外キャップ２２との間に配置したので、オーバーキャップ１６の過度な大型化、特に携帯時に周囲への引っ掛かりを助長するような幅の増大を避けつつ、オーバーキャップ１６に音鳴り機構を付与することができる。オーバーキャップ１６を閉めた際に音が鳴るようにしたことで、使用者に次使いたくなるような楽しさを付与することもできる。
【００３３】
本実施形態の容器１０において、制御回路３８に、スイッチ３４からの入力があった後、所定時間経過後にまたは所定時間経過する間継続して音を発生させるためのタイマを設けた場合には、例えば、ディスペンサー１２から吐出した化粧水や美容液などをシートマスクなどに染み込ませ顔に当てて保湿時間を知らせるのに便利である。
【００３４】
また、本実施形態の容器１０によれば、外キャップ２２の天蓋４４を周壁２２ａとは別体として形成するとともに着脱自在に固定したので、例えば電池４０の残量が少なくなった場合には天蓋４４を外して電池４０の交換を容易に行うことができる。この際、天蓋４４に形成した切欠部４４ｃまたは開口部に突起物や指の爪等を引っ掛けることで天蓋４４を容易に外すことができる。
【００３５】
さらに、本実施形態の容器１０によれば、スイッチ３４としてオーバーキャップ１６の押下力が解除された際に外キャップ２２を内キャップ２４に対して押し上げる付勢手段を有する自動復帰型スイッチを用いているので、スイッチ３４とは別に、オーバーキャップ１６の押下力が解除された際に外キャップ２２を内キャップ２４に対して押し上げるためのバネを設ける必要がなく、構造を簡単にすることができる。
【００３６】
以上、図示例に基づき本発明を説明したが、本発明は上述の実施形態に限定されず、種々の変更、追加、修正が可能であり、例えば、スピーカ３６に加えて、スイッチ３４からの入力に基づいて光を発するＬＥＤ等を基板３２に実装してもよい。その場合に、外キャップ２２の天蓋４４はＬＥＤ等の光を外から視認できるように少なくとも部分的に光透明性の材料で形成するのが好ましい。
【産業上の利用可能性】
【００３７】
本発明によれば、オーバーキャップの過度な大型化、特に携帯時に周囲への引っ掛かりを助長するような幅の増大を避けつつ、オーバーキャップに音鳴り機構を付与することができる。
【符号の説明】
【００３８】
１０  容器
１２  ディスペンサー
１４  容器体
１６  オーバーキャップ
１８  張出し部
２０  突起
２２  外キャップ
２２ａ  周壁
２２ｂ  突出部
２４  内キャップ
２４ａ  頂壁
２４ｂ  周壁
３２  基板
３４  スイッチ
３６  スピーカ
３８  制御回路
４０  電池
４２  ワイヤ
４４  天蓋
４４ａ  天板
４４ｂ  嵌入部
【図１】
2019177887.tif 000003
【図２】
2019177887.tif 000004
【図３】
2019177887.tif 000005